(57)【要約】【課題】切断後の粘着テープの先端部が押圧部の下方に常に位置させることができるテープ貼付器を提供する。【解決手段】片面に粘着層を有するロール状の粘着テープ１を繰り出し自在に保持する保持部２と、該保持部２から繰り出される粘着テープ１の粘着面側を被貼付面Ｆに押し付けるための押圧部３と、押圧部３で被貼付面Ｆに貼り付けた粘着テープ１を切断すべく、押圧部３よりも粘着テープ繰り出し方向下流側に配置した切断部４とを備えたテープ切断装置であって、押圧部３と保持部２との間に設けられ、該保持部２から該押圧部３まで繰り出された粘着テープ１の粘着面１Ａを受ける複数の受け部７，８を、粘着テープ繰り出し方向に間隔を置いて設けた。【選択図】図３
0003173129.tif 000002
【実用新案登録請求の範囲】
【請求項１】
片面に粘着層を有するロール状の粘着テープを繰り出し自在に保持する保持部と、該保持部から繰り出される粘着テープの粘着面側を被貼付面に押し付けるための押圧部と、該押圧部で被貼付面に貼り付けた粘着テープを切断すべく、該押圧部よりも粘着テープ繰り出し方向下流側に配置した切断部とを備えたテープ切断装置であって、
前記押圧部と前記保持部との間に設けられ、該保持部から該押圧部まで繰り出された粘着テープの粘着面を受ける複数の受け部を、粘着テープ繰り出し方向に間隔を置いて設けたことを特徴とするテープ貼付器。
【請求項２】
前記複数の受け部は、前記保持部から前記押圧部まで繰り出された粘着テープに対し、該粘着テープの粘着面側から該粘着面に向けて突設され、かつ、粘着テープの粘着面に対して略直交する姿勢に構成されていることを特徴とする請求項１に記載のテープ貼付器。
【請求項３】
前記受け部の受け面と粘着テープの粘着面との間に、粘着テープを繰り出して被貼付面に貼り付けた状態で所定の隙間が形成され、該隙間は、前記切断部で粘着テープを切断して弛んだ該粘着テープが前記受け部の受け面に接触する大きさに設定されていることを特徴とする請求項１又は２に記載のテープ貼付器。
【請求項４】
前記隙間が、０．１ｍｍから２ｍｍの範囲の任意の値に設定されていることを特徴とする請求項３に記載のテープ貼付器。
【請求項５】
前記押圧部は、粘着テープの繰り出しで回転する遊転ローラからなることを特徴とする請求項１〜４のいずれか１項に記載のテープ貼付器。
【請求項６】
前記保持部は、粘着テープを収納するケーシングに設けられ、該ケーシングは、粘着テープの繰り出し時における左右方向の移動を規制するための左右の側壁を備えていることを特徴とする請求項１〜５のいずれか１項に記載のテープ貼付器。
【請求項７】
前記ケーシングは、粘着テープの少なくとも一部を該ケーシングの外部へ露呈するための開口部を備えていることを特徴とする請求項６に記載のテープ貼付器。
【請求項８】
前記切断部は、上方から下方へ突出する多数の刃部を左右方向に連続して備え、該多数の刃部の刃先が左右方向中央部から左右両端側に位置するほど上方に位置する略逆山型状に形成されていることを特徴とする請求項１〜７のいずれか１項に記載のテープ貼付器。
【考案の詳細な説明】
【技術分野】
【０００１】
本考案は、片面に粘着層を有するロール状の粘着テープを繰り出して被貼付面に貼り付けるためのテープ貼付器に関する。
【背景技術】
【０００２】
従来から、片手で粘着テープを繰り出して容易に貼り付けることができるテープ貼付器が既に提案されている（例えば特許文献１参照）。
【先行技術文献】
【特許文献】
【０００３】
【特許文献１】特開平１０−２５０９０５号公報
【考案の概要】
【考案が解決しようとする課題】
【０００４】
上記特許文献１のテープ貼付器は、粘着テープを繰り出し自在に保持する保持部と、保持部から繰り出される粘着テープの粘着面側を被貼付面に押し付けるための押圧部と、押圧部で被貼付面に貼り付けられた粘着テープを切断する切断部とを備えている。更に、粘着テープの切断後において、粘着テープの先端が押圧部の下方に位置するように粘着テープの粘着面を受ける受け部を、押圧部と保持部との間に設けている。
【０００５】
上記特許文献１の構成によれば、切断後の粘着テープの粘着面を受ける受け部が、一つしか設けられていなかったため、粘着テープの姿勢によっては、受け部に粘着テープの粘着面が接触しないことがある。
【０００６】
また、粘着テープを保持部に保持させた状態にし、粘着テープの先端が押圧部の下方に位置するように粘着テープを繰り出してから、粘着テープの粘着面を受け部に接触させてその位置を維持させることになるが、受け部が、一つしか設けられていなかったため、受け部から粘着テープが不測に外れてしまうことがある。
【０００７】
このように粘着テープの切断後に受け部に粘着テープの粘着面が接触しない、あるいは受け部から粘着テープが不測に外れてしまうと、粘着テープが保持部側に移動してしまい、粘着テープの先端部が押圧部の下方に位置しないことになる。その結果、粘着テープの先端部を押圧部の下方に位置させてからでないと、次回の粘着テープの貼り付け作業を行うことができないという手間のかかるものであり、改善の余地があった。
【０００８】
そこで、本考案は、かかる事情に鑑みてなされたもので、粘着テープの先端部を押圧部の下方に常に位置させることができるテープ貼付器を提供するものである。
【課題を解決するための手段】
【０００９】
本考案に係るテープ貼付器は、前述の課題解決のために、片面に粘着層を有するロール状の粘着テープを繰り出し自在に保持する保持部と、該保持部から繰り出される粘着テープの粘着面側を被貼付面に押し付けるための押圧部と、該押圧部で被貼付面に貼り付けた粘着テープを切断すべく、該押圧部よりも粘着テープ繰り出し方向下流側に配置した切断部とを備えたテープ貼付器であって、前記押圧部と前記保持部との間に設けられ、該保持部から該押圧部まで繰り出された粘着テープの粘着面を受ける複数の受け部を、粘着テープ繰り出し方向に間隔を置いて設けたことを特徴としている。
【００１０】
本考案によれば、保持部から押圧部まで繰り出された粘着テープの粘着面を受ける受け部を、粘着テープ繰り出し方向に間隔を置いて複数設けることによって、切断後の粘着テープの粘着面を複数の受け部のうちのいずれかの受け部で受けることができる。また、複数の受け部に粘着テープが接触しているため、受け部から粘着テープが外れ難くすることができる。このことから、粘着テープの先端部を押圧部の下方に常に位置させることができ、次の粘着テープの被貼付面への貼り付け作業を迅速に行うことができる。
【００１１】
又、本考案のテープ貼付器は、前記複数の受け部が、前記保持部から前記押圧部まで繰り出された粘着テープに対し、該粘着テープの粘着面側から該粘着面に向けて突設され、かつ、粘着テープの粘着面に対して略直交する姿勢に構成されていてもよい。
【００１２】
上記のように、複数の受け部を、粘着テープの粘着面に対して略直交する姿勢に設けておけば、受け部を粘着テープの粘着面に確実に当てることができる。
【００１３】
又、本考案のテープ貼付器は、前記受け部の受け面と粘着テープの粘着面との間に、粘着テープを繰り出して被貼付面に貼り付けた状態で所定の隙間が形成され、該隙間は、前記切断部で粘着テープを切断して弛んだ該粘着テープが前記受け部の受け面に接触する大きさに設定されていることが好ましい。
【００１４】
上記のように、受け部の受け面と粘着テープの粘着面との間に、粘着テープを繰り出して被貼付面に貼り付けた状態で所定の隙間が形成されていれば、粘着テープの繰り出し時に粘着テープをスムーズに繰り出すことができながらも、切断部で粘着テープを切断して弛んだ粘着テープを受け部の受け面に確実に接触させることができる。
【００１５】
又、本考案のテープ貼付器は、前記隙間が、０．１ｍｍから２ｍｍの範囲の任意の値に設定されていることが好ましい。
【００１６】
上記のように、隙間を、０．１ｍｍから２ｍｍの範囲の任意の値に設定しておけば、粘着テープの繰り出し時に粘着テープをスムーズに繰り出すことができながらも、切断部で粘着テープを切断して弛んだ粘着テープを受け部の受け面に確実に接触させることができる効果を発揮し易い。
【００１７】
又、本考案のテープ貼付器は、前記押圧部が、粘着テープの繰り出しで回転する遊転ローラから構成されていてもよい。
【００１８】
上記のように、押圧部を遊転ローラから構成しておけば、粘着テープの繰り出しに伴って遊転ローラが回転することで、粘着テープをスムーズに繰り出すことができる。
【００１９】
又、本考案のテープ貼付器は、前記保持部が、粘着テープを収納するケーシングに設けられ、該ケーシングは、粘着テープの繰り出し時における左右方向の移動を規制するための左右の側壁を備えていてもよい。
【００２０】
上記のように、ケーシングに、粘着テープの繰り出し時における左右方向の移動を規制するための左右の側壁を備えさせておけば、粘着テープの繰り出し時に粘着テープが左右に大きくずれてしまい、切断部で粘着テープを切断して弛んだ粘着テープが受け部の受け面に接触しないといったトラブルを防止することができる。
【００２１】
又、本考案のテープ貼付器は、前記ケーシングが、粘着テープの少なくとも一部を該ケーシングの外部へ露呈するための開口部を備えていてもよい。
【００２２】
上記のように、ケーシングが、粘着テープの少なくとも一部を該ケーシングの外部へ露呈するための開口部を備えていれば、例え切断部で切断した後の粘着テープの先端がケーシングの内部に入り込んだとしても、粘着テープを回転操作して粘着テープの先端を繰り出して押圧部の下まで移動させることが可能になる。
【００２３】
又、本考案のテープ貼付器は、前記切断部は、上方から下方へ突出する多数の刃部を左右方向に連続して備え、該多数の刃部の刃先が左右方向中央部から左右両端側に位置するほど上方に位置する略逆山型状に形成されていてもよい。
【００２４】
上記のように、切断部が略逆山型状に形成されていれば、テープ貼付器を左右のいずれか一方に傾けて粘着テープの左右一方側を切断してから、残る他方にテープ貼付器を傾けて粘着テープの左右他方側を切断することによって、粘着テープを一挙に切断する構成に比べて粘着テープの切断を確実に行うことができる。
【考案の効果】
【００２５】
本考案によれば、粘着テープの粘着面を受ける複数の受け部を、粘着テープ繰り出し方向に間隔を置いて設けているので、粘着テープの粘着面を複数の受け部で確実に受け止めることができる。従って、粘着テープの先端部を押圧部の下方に常に位置させることができるテープ貼付器を提供することができる。
【図面の簡単な説明】
【００２６】
【図１】本考案のテープ貼付器の縦断側面図である。
【図２】（ａ）は図１におけるＩ−Ｉ線断面図（ｂ）は同テープ貼付器の切断部を示す正面図である。
【図３】同テープ貼付器で粘着テープを貼り付けている状態を示す縦断側面図である。
【図４】同テープ貼付器で貼り付けた粘着テープを切断している状態を示す縦断側面図である。
【図５】（ａ），（ｂ），（ｃ）は、同テープ貼付器の切断部で粘着テープを切断する公定を示す切断部の正面図である。
【図６】別の形態のテープ貼付器の縦断側面図である。
【考案を実施するための形態】
【００２７】
図１に、本考案のテープ貼付器Ａの基本構成を示している。尚、図１において、テープ貼付器Ａの長手方向を前後方向とし、長手方向と直交する短手方向を上下方向とし、紙面を貫通する厚み方向を左右方向として説明する。
【００２８】
テープ貼付器Ａは、図１に示すように、粘着テープ１を繰り出し自在に保持する保持部２と、保持部２から繰り出される粘着テープ１の粘着面側を被貼付面Ｆに押し付けるための押圧部３と、押圧部３で被貼付面Ｆに貼り付けた粘着テープ１を切断する切断部４とを備えたケーシング５とから構成されている。
【００２９】
粘着テープ１は、片面に粘着層を有する長尺なテープをロール状に巻いて環状に構成したものからなっている。また、粘着テープとしては、セロハンテープ、ガムテープ、紙テープ等片面に粘着層を有するものであれば、どのようなものであってもよい。
【００３０】
ケーシング５は、図１及び図２（ａ）に示すように、前後方向に長い合成樹脂製からなり、内部に空間を形成し、左右方向一端（前端）側が開放されているケース本体５Ａと、このケース本体５Ａの左右方向開放側端を閉じる蓋体５Ｂとからなっている。蓋体５Ｂには、ケース本体５Ａの開口端の内周縁に係止する係止解除自在な突起５ｔが形成されている。
【００３１】
ケース本体５Ａは、左側の側壁５Ａ１と、左側側壁５Ａ１の下端から水平に延びる底側壁５Ａ２と、底側壁５Ａ２の後端から左側の側壁５Ａ１の前端まで凸状に湾曲して延びる前後側壁５Ａ３とを備えている。尚、前後側壁５Ａ３の前端に切断部４が一体形成されている。また、底側壁５Ａ２の底面（下面）の前後端には、下方に突出する脚部５Ａ２１がそれぞれ形成されている。一方、蓋体５Ｂは、右側の側壁５Ｂ１と、右側の側壁５Ｂ１の内側面に内側に突出する前記突起５ｔとを備えている。左側の側壁５Ａ１と右側の側壁５Ｂ１とで粘着テープ１の繰り出し時における粘着テープ１の左右方向の移動を規制している。また、前記左側の側壁５Ａ１には、粘着テープ１の少なくとも一部を該ケーシング５の外部へ露呈するための開口部５ａを備えている。
【００３２】
保持部２は、前記ケース本体５Ａの左側の側壁５Ａ１の後側に内面から蓋体５Ｂ側に延びる円筒部２Ａから構成されている。この円筒部２Ａに粘着テープ１を外嵌してから、蓋体５Ｂを閉じることで粘着テープ１を装着できるようになっている。図１に示す矢印方向（反時計回り）に粘着テープ１が回転することによって、粘着テープ１が繰り出されるようになっている。
【００３３】
押圧部３は、粘着テープ１の繰り出しで回転する遊転ローラからなり、遊転ローラ３は、ケース本体５Ａの左側の側壁５Ａ１の前端部に一体形成された左側ブラケット５Ａ４と、蓋体５Ｂの右側の側壁５Ｂ１の前端部に一体形成された右側ブラケット（左側ブラケット５Ａ４と同一であるため、図示せず）との間に掛け渡された軸６に回転自在に取り付けられている。
【００３４】
切断部４は、図２（ｂ）に示すように前後側壁５Ａ３の前端から下方へ延びる多数の刃部４Ａを左右方向に連続して備え、該多数の刃部４Ａの刃先４ａが左右方向中央部から左右両端側に位置するほど上方に位置して前記切断部４が略逆山型状に形成されている。
【００３５】
押圧部３と保持部２との間には、保持部２から押圧部３まで繰り出された粘着テープ１の粘着面１Ａを受ける複数（図１では２つ）の矩形で板状の受け部７，８が、粘着テープ繰り出し方向（前後方向）に間隔を置いて設けられている。
【００３６】
複数の受け部７，８は、底側壁５Ａ２の上面（内面）から斜め前方に向けて延びることで、保持部２から押圧部３まで繰り出された粘着テープ１に対し、粘着テープ１の粘着面１Ａ側から粘着面１Ａに向けて突設されている。このように突出した受け部７，８は、粘着テープ１の粘着面１Ａに対して略直交する姿勢に構成されている。
【００３７】
図３に示すように、前記受け部７，８の受け面７Ａ，８Ａと粘着テープ１の粘着面１Ａとの間には、粘着テープ１を繰り出して被貼付面Ｆに貼り付けた状態で所定の隙間Ｓ１，Ｓ２が形成されている。それら隙間Ｓ１，Ｓ２は、切断部４で粘着テープ１を切断して弛んだ粘着テープ１が受け部７，８の受け面７Ａ，８Ａに接触する大きさに設定されている。尚、ここでは、同一の大きさの隙間Ｓ１，Ｓ２に設定しているが、異なる大きさに設定してもよい。また、前記隙間は、０．１ｍｍから２ｍｍの間の任意の値に設定されることが好ましい。隙間をこのような値に設定することによって、粘着テープ１の繰り出し時に粘着テープ１をスムーズに繰り出すことができながらも、切断部４で粘着テープ１を切断して弛んだ粘着テープ１が受け部７，８の受け面７Ａ，８Ａに確実に接触させることができる利点がある。
【００３８】
次に、テープ貼付器Ａを用いて粘着テープ１を貼り付ける手順について説明する。
【００３９】
まず、ケース本体５Ａに対して蓋体５Ｂを取り外して粘着テープ１を保持部２に装着する。尚、粘着テープ１の粘着面１Ａが下側を向いた状態になるように粘着テープ１を装着する。この状態から、粘着テープ１の先端を指先で摘んで粘着テープ１を引き出して粘着テープ１の先端部１Ｓが押圧部３の下方に位置させる（図１参照）。この状態で蓋体５Ｂを閉じることにより粘着テープ１の装着が完了する。
【００４０】
続いて、テープ貼付器Ａを図１の状態から前方に傾けることにより図３に示す状態にする。この状態で粘着テープ１を被貼付面Ｆに押圧部３で押し付ける。この状態から、テープ貼付器Ａを矢印で示す方向（後方）へ移動させることにより、粘着テープ１を繰り出しつつ、粘着テープ１を被貼付面Ｆに貼り付けていく（図３参照）。この粘着テープ１の繰り出し時には、遊転ローラ３が回転することによって、粘着テープ１の繰り出しをスムーズに行うことができる。また、粘着テープ１の繰り出し時においてケーシング５の左右の側壁５Ａ１，５Ｂ１が、粘着テープが左右に大きくずれてしまうことを規制することができ、切断部４で粘着テープ１を確実に切断することができる。また、粘着テープ１の切断後に弛んだ粘着テープ１が左右方向に移動して受け部７，８の受け面７Ａ，８Ａに接触しないといったトラブルを防止することができる。さらにまた、２つの受け部７，８に粘着テープ１が接触しているため、受け部７，８から粘着テープ１が不測に外れてしまうといったトラブルを防止することができる。
【００４１】
粘着テープ１の貼り付けが終了すると、テープ貼付器Ａを図３の状態から更に前方側へ傾けることによって、切断部４の左右中央部の刃部４Ａの刃先４ａを粘着テープ１に食い込ませる（図４及び図５（ａ）参照）。この状態から、左右方向一方側（図５（ｂ）では正面から見て右側）にテープ貼付器Ａを傾けることによって、粘着テープ１の左右方向一方側（図５（ｂ）では右側）部分を切断する。この後、テープ貼付器Ａを前記とは反対方向の左右方向他方側（図５（ｃ）では正面から見て左側）に傾けることによって、粘着テープ１の左右方向他方側（図５（ｃ）では左側）部分を切断して、粘着テープ１の貼り付けを終了する。
【００４２】
前記のように切断が終了すると、粘着テープ１が自重で下方側に弛むことになり、その弛んだ粘着テープ１の粘着面１Ａが受け部７，８の受け面７Ａ，８Ａに接触して貼り付いた状態になる。この状態では、図１に示すように、切断後の粘着テープ１の先端部１Ｓを押圧部３の下方に確実に位置させることができ、次の粘着テープ１の被貼付面Ｆへの貼り付け作業を迅速に行うことができる。しかも、２つの受け部７，８が、粘着テープ１の粘着面１Ａに対して略直交する姿勢に設けているので、受け部７，８を粘着テープ１の粘着面１Ａに確実に当てることができる利点がある。また、前記のようにケーシング５には、粘着テープ１の一部を該ケーシング５の外部へ露呈するための開口部５ａを備えている。このため、もし万一、切断部４で切断した後の粘着テープ１が受け部７，８の受け面７Ａ，８Ａに接触しないで、粘着テープ１の先端部１Ｓがケーシング５の内部に入り込んだとしても、開口部５ａを通して粘着テープ１を回転操作することによって、粘着テープ１の先端部１Ｓを繰り出して押圧部３の下まで強制的に移動させることが可能になる。
【００４３】
また、テープ貼付器Ａを左右のいずれか一方に傾けて粘着テープ１の左右一方側を切断してから、残る他方にテープ貼付器Ａを傾けて粘着テープ１の左右他方側を切断することによって、粘着テープ１を一挙に切断する構成に比べて、粘着テープ１の切断を確実に行うことができる利点もある。
【００４４】
尚、本考案は、上記実施形態に限定されるものではなく、本考案の要旨を逸脱しない範囲で種々の変更が可能である。
【００４５】
例えば、上記実施形態では、ケーシング５をケース本体５Ａとケース本体５Ａの開放端を閉じる開閉自在な蓋体５Ｂとから構成することによって、粘着テープ１の交換を行うことができる構成にしたが、蓋体が開閉できない構成、つまり粘着テープ１の交換ができない所謂使い捨てタイプの構成であってもよい。また、ケース本体５Ａと蓋体５Ｂとがヒンジを介して繋がっている構成であってもよく、ケーシング５の具体的構成や形状は、自由に変更することができる。
【００４６】
上記実施形態では、２つ（複数）の受け部７，８をケーシング５に一体形成したが、別々に２つ（複数）の受け部７，８を形成し、それらの受け部７，８をそれぞれケーシング５に取り付ける構成であってもよい。また、受け部は、３つ以上であってもよい。図６に、一つの部材９から複数の受け部７，８を構成してもよい。前記部材９は、矩形で板状の受け部７，８と、受け部７，８同士を連結する連結部９Ａと、受け部７，８の下端に備えた脚部９Ｂ，９Ｃとを備えている。これら脚部９Ｂ，９Ｃを熱溶着又は接着剤により、底側壁５Ａ２の上面（内面）５Ｘに固定することになる。尚、図６で説明しなかった他の部分は、図１と同一であるため、同一の符号を付すとともに説明を省略している。
【００４７】
また、上記実施形態では、押圧部３を遊転ローラから構成したが、回転しない固定型に構成してもよい。
【００４８】
また、上記実施形態では、切断部４を、多数の刃部４Ａの刃先４ａが左右方向中央部から左右両端側に位置するほど上方に位置するような略逆山型状に形成したものから構成したが、多数の刃部４Ａの刃先４ａが同一高さとなる水平な切断部４であってもよい。また、切断部４は、ケーシング５に一体形成したものから構成する他、別体構成した切断部をケーシングに取り付けて実施することもできる。
【００４９】
また、上記実施形態では、左側の側壁５Ａ１に、粘着テープ１の少なくとも一部をケーシング５の外部へ露呈するための開口部５ａを備えた構成としたが、右側の側壁５Ｂ１にも開口部を備えてもよいし、開口部を全く設けないで実施することもできる。
【符号の説明】
【００５０】
１…粘着テープ、１Ａ…粘着面、１Ｓ…先端部、２…保持部、２Ａ…円筒部、３…押圧部（遊転ローラ）、４…切断部、４Ａ…刃部、４ａ…刃先、５…ケーシング、５Ａ…ケース本体、５Ａ１…左側側壁、５Ｂ１…右側側壁、５Ａ２…底側壁、５Ａ３…前後側壁、５Ａ４…左側ブラケット、５Ｂ…蓋体、５Ｂ１…側壁、５ａ…開口部、５ｔ…突起、６…軸、７，８…受け部、７Ａ，８Ａ…受け面、Ａ…テープ貼付器、Ｆ…被貼付面、Ｓ１，Ｓ２…隙間
【図１】
0003173129.tif 000003
【図２】
0003173129.tif 000004
【図３】
0003173129.tif 000005
【図４】
0003173129.tif 000006
【図５】
0003173129.tif 000007
【図６】
0003173129.tif 000008